Podtech/llm-jp-corpus-v4-ja_patent huggingface dataset:
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
多数の画素のそれぞれが複数の色成分のうちの一つの色成分を持ち、該色成分の分布が規則的である画像に対して、画素配列にのみ基づく第１のノイズ低減処理を施して、第１の処理済み画像を取得する第１のノイズ低減処理手段と、
前記第１の処理済み画像を前記色成分毎に分離して複数の色成分画像を取得する色成分分離手段と、
前記各色成分画像における処理の対象となる対象画素の信号値と該対象画素の周囲の所定範囲の領域に含まれる画素の信号値とを比較し、該比較結果に応じて前記所定範囲の領域の各画素を複数のグループに分類する信号分類処理を行う信号分類手段とを備えたことを特徴とする信号処理装置。
【請求項２】
前記信号分類手段は、前記比較結果に応じて前記所定範囲の領域の各画素を前記信号値の変化が比較的小さい平坦部のグループおよび前記信号値の変化が比較的大きい信号部のグループに分類する手段であることを特徴とする請求項１記載の信号処理装置。
【請求項３】
前記第１のノイズ低減処理は、前記画像の全画素に対するローパスフィルタによるフィルタリング処理であることを特徴とする請求項１または２記載の信号処理装置。
【請求項４】
前記各色成分画像の前記各画素における前記信号値の変化の方向に応じた第２のノイズ低減処理を、前記各色成分画像に対して施す第２のノイズ低減処理手段をさらに備え、
前記信号分類手段は、前記第２のノイズ低減処理が施された前記各色成分画像に前記信号分類処理を施す手段であることを特徴とする請求項１から３のいずれか１項記載の信号処理装置。
【請求項５】
前記第２のノイズ低減処理手段は、前記各色成分画像の前記各画素に対して、あらかじめ定められた複数方向にハイパスフィルタによるフィルタリング処理を施し、該フィルタリング結果に基づいて前記信号値の変化が最も小さい方向を検出し、前記信号値の変化が最も小さい方向にローパスフィルタによるフィルタリング処理を施すことにより、前記第２のノイズ低減処理を行う手段であることを特徴とする請求項４記載の信号処理装置。
【請求項６】
前記第２のノイズ低減処理手段は、前記各色成分画像の前記各画素に対して、あらかじめ定められた複数方向に、周波数特性が異なる複数種類のハイパスフィルタによるフィルタリング処理を施すことにより複数のフィルタリング結果を取得し、該複数のフィルタリング結果に基づいて前記信号値の変化が最も小さい方向を検出し、前記信号値の変化が最も小さい方向にローパスフィルタによるフィルタリング処理を施すことにより、前記第２のノイズ低減処理を行う手段であることを特徴とする請求項４記載の信号処理装置。
【請求項７】
前記信号分類手段は、前記対象画素の周囲の所定範囲の領域における前記信号値が比較的小さいグループに分類された画素数が所定のしきい値を超える場合にのみ、前記対象画素をノイズ低減の処理対象に設定する手段であることを特徴とする請求項１から６のいずれか１項記載の信号処理装置。
【請求項８】
請求項１から７のいずれか１項記載の信号処理装置による前記信号分類処理の分類結果に基づいて、前記各色成分画像に対してノイズ低減処理を施す画像ノイズ低減手段を備えたことを特徴とするノイズ低減装置。
【請求項９】
前記画像ノイズ低減手段は、前記各色成分画像における処理の対象となる対象画素および該対象画素の周囲の所定範囲の領域における画素の信号値の平均値が前記複数の色成分での色空間の原点位置となるように、前記対象画素の信号値のレベルをシフトし、該シフトされた前記対象画素に対して、そのレベルに応じたノイズ低減処理の演算を行い、前記ノイズが低減された前記対象画素の信号値のレベルを、前記シフト分に応じて戻す処理を行う手段であることを特徴とする請求項８記載のノイズ低減装置。
【請求項１０】
前記画像ノイズ低減手段は、前記対象画素のノイズ量を推定し、前記対象画素の信号値および該対象画素の周囲の所定範囲の領域の画素の信号値に基づいて、前記対象画素のノイズを表す統計値を算出し、前記推定されたノイズ量および前記統計値を比較し、該比較結果に基づいて前記ノイズ低減処理の演算に前記ノイズ量および前記統計値のいずれを使用するかを決定する手段であることを特徴とする請求項９記載のノイズ低減装置。
【請求項１１】
前記平均値は、前記所定範囲の領域における前記信号値が比較的小さいグループに分類された画素における信号値の平均値であることを特徴とする請求項９または１０記載のノイズ低減装置。
【請求項１２】
前記画像ノイズ低減手段は、前記対象画素の周囲の所定範囲の領域における前記信号値が比較的小さいグループの画素数が所定のしきい値を超える場合にのみ、前記対象画素に対して前記ノイズ低減処理を行う手段であることを特徴とする請求項８から１１のいずれか１項記載のノイズ低減装置。
【請求項１３】
多数の画素のそれぞれが複数の色成分のうちの一つの色成分を持ち、該色成分の分布が規則的である画像に対して、画素配列にのみ基づく第１のノイズ低減処理を施して、第１の処理済み画像を取得し、
前記第１の処理済み画像を前記色成分毎に分離して複数の色成分画像を取得し、
前記各色成分画像における処理の対象となる対象画素の信号値と該対象画素の周囲の所定範囲の領域に含まれる画素の信号値とを比較し、該比較結果に応じて前記所定範囲の領域の各画素を複数のグループに分類する信号分類処理を行うことを特徴とする信号処理方法。
【請求項１４】
請求項１３記載の信号処理方法による前記信号分類処理の分類結果に基づいて、前記各色成分画像に対してノイズ低減処理を施すことを特徴とするノイズ低減方法。
【請求項１５】
多数の画素のそれぞれが複数の色成分のうちの一つの色成分を持ち、該色成分の分布が規則的である画像に対して、画素配列にのみ基づく第１のノイズ低減処理を施して、第１の処理済み画像を取得する手順と、
前記第１の処理済み画像を前記色成分毎に分離して複数の色成分画像を取得する手順と、
前記各色成分画像における処理の対象となる対象画素の信号値と該対象画素の周囲の所定範囲の領域に含まれる画素の信号値とを比較し、該比較結果に応じて前記所定範囲の領域の各画素を複数のグループに分類する信号分類処理を行う手順とを有する信号処理方法をコンピュータに実行させるためのプログラム。
【請求項１６】
請求項１３記載の信号処理方法による前記信号分類処理の分類結果に基づいて、前記各色成分画像に対してノイズ低減処理を施す手順を有することを特徴とするノイズ低減方法をコンピュータに実行させるためのプログラム。
【手続補正２】
【補正対象書類名】明細書
【補正対象項目名】００２７
【補正方法】変更
【補正の内容】
【００２７】
なお、本発明による信号処理方法およびノイズ低減方法をコンピュータに実行させるためのプログラムとして提供してもよい。
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
画像処理装置と通信可能な画像読取装置であって、
原稿を搬送する搬送手段と、
前記搬送手段により搬送される原稿の第一面の画像を読み取る第１の読取手段と、
前記搬送手段により搬送される原稿の第二面の画像を読み取る第２の読取手段と、
前記第１の読取手段及び前記第２の読取手段により読み取られた画像を記憶する記憶手段と、
前記記憶手段に記憶された画像を前記画像処理装置へ送信する送信手段と、
原稿の搬送方向の長さが所定長さ以下である場合は、前記第１の読取手段により読み取られた第一面の画像を前記記憶手段に記憶させるとともに、前記第２の読取手段により読み取られた第二面の画像を前記記憶手段に記憶させて、前記記憶手段に記憶された第一面及び第二面の画像を前記送信手段によって前記画像処理装置に送信させ、原稿の搬送方向の長さが前記所定長さより長い場合は、前記第１の読取手段により読み取られた第一面の画像を前記記憶手段に記憶させずに前記送信手段によって前記画像処理装置に送信させるとともに、前記第２の読取手段により読み取られた第二面の画像を前記記憶手段に記憶させて、前記記憶手段に記憶された第二面の画像を前記送信手段によって前記画像処理装置に送信させる制御手段と、
を有することを特徴とする画像読取装置。
【請求項２】
前記記憶手段は第１の記憶手段と第２の記憶手段を有し、
前記制御手段は、原稿の搬送方向の長さが前記所定長さ以下である場合は、前記第１の読取手段により読み取られた第一面の画像を前記第１の記憶手段に記憶させるとともに、前記第２の読取手段により読み取られた第二面の画像を前記第２の記憶手段に記憶させ、原稿の搬送方向の長さが前記所定長さより長い場合は、前記第２の読取手段により読み取られた第二面の画像を前記第１の記憶手段及び前記第２の記憶手段に分割して記憶させることを特徴とする請求項１記載の画像読取装置。
【請求項３】
前記制御手段は、原稿の搬送方向の長さが前記所定長さより長い場合は、前記画像処理装置からの画像転送開始指示を受信するまで原稿の読取動作を開始しないことを特徴とする請求項１記載の画像読取装置。
【請求項４】
前記制御手段は、原稿の搬送方向の長さが前記所定長さ以下である場合は、前記画像処理装置からの画像転送開始指示を待たずに原稿の読取動作を開始することを特徴とする請求項１記載の画像読取装置。
【手続補正２】
【補正対象書類名】明細書
【補正対象項目名】０００８
【補正方法】変更
【補正の内容】
【０００８】
上記目的を達成するため、本発明に係る画像読取装置は、画像処理装置と通信可能な画像読取装置であって、原稿を搬送する搬送手段と、前記搬送手段により搬送される原稿の第一面の画像を読み取る第１の読取手段と、前記搬送手段により搬送される原稿の第二面の画像を読み取る第２の読取手段と、前記第１の読取手段及び前記第２の読取手段により読み取られた画像を記憶する記憶手段と、前記記憶手段に記憶された画像を前記画像処理装置へ送信する送信手段と、原稿の搬送方向の長さが所定長さ以下である場合は、前記第１の読取手段により読み取られた第一面の画像を前記記憶手段に記憶させるとともに、前記第２の読取手段により読み取られた第二面の画像を前記記憶手段に記憶させて、前記記憶手段に記憶された第一面及び第二面の画像を前記送信手段によって前記画像処理装置に送信させ、原稿の搬送方向の長さが前記所定長さより長い場合は、前記第１の読取手段により読み取られた第一面の画像を前記記憶手段に記憶させずに前記送信手段によって前記画像処理装置に送信させるとともに、前記第２の読取手段により読み取られた第二面の画像を前記記憶手段に記憶させて、前記記憶手段に記憶された第二面の画像を前記送信手段によって前記画像処理装置に送信させる制御手段と、を有することを特徴とする。
【手続補正３】
【補正対象書類名】明細書
【補正対象項目名】０００９
【補正方法】変更
【補正の内容】
【０００９】
本発明によれば、一度の原稿搬送で原稿の表裏画像を読み取る構成において、メモリサイズを大型化することなく、長い原稿の両面読取が可能な画像読取装置を提供することができる。
【手続補正４】
【補正対象書類名】明細書
【補正対象項目名】００６５
【補正方法】変更
【補正の内容】
【００６５】
なお、表面画像読取部２６０は特許請求の範囲に記載の第１の読取手段に対応し、裏面画像読取部１１０は特許請求の範囲に記載の第２の読取手段に対応する。また、画像バッファ（Ａ）２６１及び画像バッファ（Ｂ）２６３は、それぞれ特許請求の範囲に記載の記憶手段または第１の記憶手段及び第２の記憶手段に対応する。また、コントローラ３００は特許請求の範囲に記載の画像処理装置に対応し、画像処理部（Ａ）２５５及び画像処理部（Ｂ）２６２は特許請求の範囲に記載の送信手段に対応し、ＣＰＵ２５１は特許請求の範囲に記載の制御手段に対応する。
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
撮像光学系により結像された被写体像を光電変換する撮像素子を備える撮像装置において、
前記撮像素子により得られる被写体画像に含まれる輝点を利用して前記被写体画像に描画する一つの図形を複数の図形から選択する選択手段と、
前記撮像素子に結像される被写体像と前記撮像素子とを相対的に移動させるための移動手段と、
前記選択手段により選択された図形が描画されるように前記移動手段の駆動を制御して、前記撮像素子に結像される被写体像と前記撮像素子とを相対的に移動させる制御手段と、
前記撮像素子により得られる被写体画像の画像データに基づいて前記被写体画像に含まれる被写体を測光する測光手段と、
前記測光手段の測光結果に基づいて前記撮像素子の露光時間を決定する決定手段とを有し、
前記決定手段は、前記制御手段による前記移動手段の駆動に要する駆動時間の整数倍となるように前記撮像素子の露光時間を決定することを特徴とする撮像装置。
【請求項２】
前記制御手段は、前記決定された露光時間中に前記移動手段の駆動を反復させるよう制御することを特徴とする請求項１に記載の撮像装置。
【請求項３】
前記撮像装置の固定を検知する検知手段と、
前記検知手段が前記撮像装置の固定を検知したときに、前記決定手段により決定される露光時間が所定の露光許容時間よりも長くなることを許可する第１の許可手段とを更に有することを特徴とする請求項１または２に記載の撮像装置。
【請求項４】
前記撮像装置の固定を検知する検知手段と、
前記検知手段が前記撮像装置の固定を検知した場合において、前記複数の図形の中に前記駆動時間が所定の露光許容時間よりも長い長秒描画図形が存在するときに、前記選択手段による前記長秒描画図形の選択を許可する第２の許可手段とを更に有することを特徴とする請求項１または２に記載の撮像装置。
【請求項５】
撮像光学系により結像された被写体像を光電変換する撮像素子と、前記撮像素子に結像される被写体像と前記撮像素子とを相対的に移動させるための移動手段とを備える撮像装置の制御方法であって、
前記撮像素子により得られる被写体画像に含まれる輝点を利用して前記被写体画像に描画するために複数の図形から選ばれた一つの図形を受け付ける選択工程と、
前記選択工程により受け付けた図形が描画されるように前記移動手段の駆動を制御して、前記撮像素子に結像される被写体像と前記撮像素子とを相対的に移動させる制御工程と、
前記撮像素子により得られる被写体画像の画像データに基づいて前記被写体画像に含まれる被写体を測光する測光工程と、
前記測光工程の測光結果に基づいて前記撮像素子の露光時間を決定する決定工程とを有し、
前記決定工程では、前記制御工程での前記移動手段の駆動に要する時間の整数倍となるように前記撮像素子の露光時間を決定することを特徴とする撮像装置の制御方法。
【請求項６】
請求項５に記載の制御方法をコンピュータに実行させることを特徴とするプログラム。
【手続補正２】
【補正対象書類名】明細書
【補正対象項目名】０００９
【補正方法】変更
【補正の内容】
【０００９】
上記目的を達成するために、請求項１に記載の撮像装置は、撮像光学系により結像された被写体像を光電変換する撮像素子を備える撮像装置において、前記撮像素子により得られる被写体画像に含まれる輝点を利用して前記被写体画像に描画する一つの図形を複数の図形から選択する選択手段と、前記撮像素子に結像される被写体像と前記撮像素子とを相対的に移動させるための移動手段と、前記選択手段により選択された図形が描画されるように前記移動手段の駆動を制御して、前記撮像素子に結像される被写体像と前記撮像素子とを相対的に移動させる制御手段と、前記撮像素子により得られる被写体画像の画像データに基づいて前記被写体画像に含まれる被写体を測光する測光手段と、前記測光手段の測光結果に基づいて前記撮像素子の露光時間を決定する決定手段とを有し、前記決定手段は、前記制御手段による前記移動手段の駆動に要する駆動時間の整数倍となるように前記撮像素子の露光時間を決定することを特徴とする。
【手続補正３】
【補正対象書類名】明細書
【補正対象項目名】００１０
【補正方法】変更
【補正の内容】
【００１０】
請求項２に記載の撮像装置は、請求項１に記載の撮像装置において、前記制御手段は、前記決定された露光時間中に前記移動手段の駆動を反復させるよう制御することを特徴とする。
【手続補正４】
【補正対象書類名】明細書
【補正対象項目名】００１２
【補正方法】変更
【補正の内容】
【００１２】
請求項４に記載の撮像装置は、請求項１または２に記載の撮像装置において、前記撮像装置の固定を検知する検知手段と、前記検知手段が前記撮像装置の固定を検知した場合において、前記複数の図形の中に前記駆動時間が所定の露光許容時間よりも長い長秒描画図形が存在するときに、前記選択手段による前記長秒描画図形の選択を許可する第２の許可手段とを更に有することを特徴とする。
【手続補正５】
【補正対象書類名】明細書
【補正対象項目名】００１４
【補正方法】変更
【補正の内容】
【００１４】
上記目的を達成するために、請求項５に記載の撮像装置の制御方法は、撮像光学系により結像された被写体像を光電変換する撮像素子と、前記撮像素子に結像される被写体像と前記撮像素子とを相対的に移動させるための移動手段とを備える撮像装置の制御方法であって、前記撮像素子により得られる被写体画像に含まれる輝点を利用して前記被写体画像に描画するために複数の図形から選ばれた一つの図形を受け付ける選択工程と、前記選択工程により受け付けた図形が描画されるように前記移動手段の駆動を制御して、前記撮像素子に結像される被写体像と前記撮像素子とを相対的に移動させる制御工程と、前記撮像素子により得られる被写体画像の画像データに基づいて前記被写体画像に含まれる被写体を測光する測光工程と、前記測光工程の測光結果に基づいて前記撮像素子の露光時間を決定する決定工程とを有し、前記決定工程では、前記制御工程での前記移動手段の駆動に要する時間の整数倍となるように前記撮像素子の露光時間を決定することを特徴とする。
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
ブラシレスモータであって、
複数の電磁コイルを有するコイル列と、
複数の永久磁石を有する磁石列と、
前記磁石列と前記コイル列の相対位置を検出するための磁気センサと、
前記磁気センサの出力を利用し、駆動素子を用いて前記コイル列を駆動する駆動制御回路と、
前記コイル列のコイル温度と前記駆動素子の温度とのうちのいずれかに関連付けられた検出対象温度を検出するための温度センサと、
を備え、
前記駆動制御回路は、
前記コイル列に電流を供給するための複数の駆動トランジスタで構成されるドライバ回路と、
前記ドライバ回路の前記複数の駆動トランジスタを制御する駆動信号を生成するための駆動信号生成回路と、
を備え、
前記駆動信号生成回路は、
前記温度センサの出力に基づいて、前記検出対象温度に応じて信号レベルが変化する温度監視信号を生成する温度監視回路と、
前記温度監視信号と前記磁気センサの出力とに少なくとも基づいて、前記磁気センサの出力のアナログ的変化と同じ変化を示し前記温度監視信号の信号レベルに比例した振幅を有する波形信号を生成する波形信号生成部と、
前記波形信号を利用したＰＷＭ制御を実行して、前記波形信号の変化と同じ実効電圧変化を示す前記駆動信号を生成するＰＷＭ制御回路と、
を含み、
前記駆動制御回路は、前記温度センサで検出された検出対象温度が所定の第１の閾値を超えたときには前記コイル列に供給する駆動電圧の実効値を低減させ、前記検出対象温度が高くなるほど前記実効値の低減幅が大きくなるように前記駆動電圧を調整し、前記検出対象温度が前記第１の閾値よりも大きな所定の第２の閾値を超えたときには前記コイル列への駆動電圧の供給を停止する、ブラシレスモータ。
【請求項２】
請求項１記載のブラシレスモータであって、
前記波形信号生成部は、前記温度監視信号のみでなく、外部から与えられるブラシレスモータの動作電圧の指令値にも基づいて前記波形信号の振幅を設定する、ブラシレスモータ。
【請求項３】
請求項１又は２に記載のブラシレスモータであって、
前記温度センサは、前記駆動素子が実装されたパワー半導体素子内に含まれている、ブラシレスモータ。
【請求項４】
請求項１ないし３のいずれか一項に記載のブラシレスモータであって、
前記温度センサは、前記駆動素子に設けられた放熱部材に設置されている、ブラシレスモータ。
【手続補正２】
【補正対象書類名】明細書
【補正対象項目名】０００８
【補正方法】変更
【補正の内容】
【０００８】
本発明は、上述の課題の少なくとも一部を解決するためになされたものであり、以下の形態又は適用例として実現することが可能である。
本発明の一形態は、ブラシレスモータであって、
複数の電磁コイルを有するコイル列と、
複数の永久磁石を有する磁石列と、
前記磁石列と前記コイル列の相対位置を検出するための磁気センサと、
前記磁気センサの出力を利用し、駆動素子を用いて前記コイル列を駆動する駆動制御回路と、
前記コイル列のコイル温度と前記駆動素子の温度とのうちのいずれかに関連付けられた検出対象温度を検出するための温度センサと、
を備え、
前記駆動制御回路は、
前記コイル列に電流を供給するための複数の駆動トランジスタで構成されるドライバ回路と、
前記ドライバ回路の前記複数の駆動トランジスタを制御する駆動信号を生成するための駆動信号生成回路と、
を備え、
前記駆動信号生成回路は、
前記温度センサの出力に基づいて、前記検出対象温度に応じて信号レベルが変化する温度監視信号を生成する温度監視回路と、
前記温度監視信号と前記磁気センサの出力とに少なくとも基づいて、前記磁気センサの出力のアナログ的変化と同じ変化を示し前記温度監視信号の信号レベルに比例した振幅を有する波形信号を生成する波形信号生成部と、
前記波形信号を利用したＰＷＭ制御を実行して、前記波形信号の変化と同じ実効電圧変化を示す前記駆動信号を生成するＰＷＭ制御回路と、
を含み、
前記駆動制御回路は、前記温度センサで検出された検出対象温度が所定の第１の閾値を超えたときには前記コイル列に供給する駆動電圧の実効値を低減させ、前記検出対象温度が高くなるほど前記実効値の低減幅が大きくなるように前記駆動電圧を調整し、前記検出対象温度が前記第１の閾値よりも大きな所定の第２の閾値を超えたときには前記コイル列への駆動電圧の供給を停止する。
このブラシレスモータによれば、温度センサで検出された検出対象温度が所定の第１の閾値を超えたときにはコイル列に供給する駆動電圧の実効値を低減させるので、従来のように過剰電流制限回路を設ける場合に比べて電流を過度に制限することが無くなり、また、モータの過熱を防止することができる。さらに、検出対象温度が高くなるほど前記実効値の低減幅が大きくなるように駆動電圧を調整するので、例えば、モータが回転している最中に温度が上昇した場合にも、駆動電圧を適切に調整することが可能である。また、検出対象温度に応じてＰＷＭに利用される波形信号の振幅を変化させることによって、モータの過熱を適切に防止することができる。
【手続補正書】
【提出日】平成22年8月26日(2010.8.26)
【手続補正１】
【補正対象書類名】特許請求の範囲
【補正対象項目名】全文
【補正方法】変更
【補正の内容】
【特許請求の範囲】
【請求項１】
ストリームデータを再生する再生装置であって、
記録媒体から第１の映像データ、第１の音声データ、第１の字幕データ、第１のグラフィクスデータを含む第１のストリームデータを読み出す第１の再生手段と、
ネットワークを介してダウンロードした第２の映像データ、第２の音声データ、第２の字幕データ、第２のグラフィクスデータを含む第２のストリームデータを記憶するダウンロードデータ記憶手段と、
前記ダウンロードデータ記憶手段から前記第２のストリームデータを読み出す第２の再生手段と、
読み出された前記第１のストリームデータに含まれる前記第１の映像データ、前記第１の音声データ、前記第１の字幕データ及び前記第１のグラフィクスデータを分別し、読み出された前記第２のストリームデータに含まれる前記第２の映像データ、前記第２の音声データ、前記第２の字幕データ及び前記第２のグラフィクスデータを分別し、前記第１の映像データから前記第２の映像データへの切り替え及び前記第１の音声データから前記第２の音声データへの切り替え及び前記第１の字幕データから前記第２の字幕データへの切り替え及び前記第１のグラフィクスデータから前記第２のグラフィクスデータへの切り替えを行う切り替え手段とを有し、
前記第１のストリームデータ及び前記第２のストリームデータは、複数の固定長のパケットで構成されており、
前記複数の固定長のパケットは、パケットの転送間隔が変化するものであり、パケット単位に転送間隔を示すタイムスタンプを含み、
前記切り替え手段は、前記タイムスタンプに応じて前記第１のストリームデータのパケットの転送タイミングを調整する第１の調整手段と、前記タイムスタンプに応じて前記第２のストリームデータのパケットの転送タイミングを調整する第２の調整手段を有し、
前記切り替え手段は、前記第１の映像データから前記第２の映像データへの切り替え及び前記第１の音声データから前記第２の音声データへの切り替え及び前記第１の字幕データから前記第２の字幕データへの切り替え及び前記第１のグラフィクスデータから前記第２のグラフィクスデータへの切り替えを行い、切り替えられた映像データまたは音声データまたは字幕データまたはグラフィクスデータと切り替えられていない映像データまたは音声データまたは字幕データまたはグラフィクスデータとを同期させて出力することを特徴とする再生装置。
【請求項２】
ストリームデータを再生する再生方法であって、
記録媒体から第１の映像データ、第１の音声データ、第１の字幕データ、第１のグラフィクスデータを含む第１のストリームデータを読み出す第１の再生ステップと、
ネットワークを介してダウンロードした第２の映像データ、第２の音声データ、第２の字幕データ、第１のグラフィクスデータを含む第２のストリームデータを読み出す第２の再生ステップと、
読み出された前記第１のストリームデータに含まれる前記第１の映像データ、前記第１の音声データ、前記第１の字幕データ及び前記第１のグラフィクスデータを分別し、読み出された前記第２のストリームデータに含まれる前記第２の映像データ、前記第２の音声データ、前記第２の字幕データ及び前記第２のグラフィクスデータを分別し、前記第１の映像データから前記第２の映像データへの切り替え及び前記第１の音声データから前記第２の音声データへの切り替え及び前記第１の字幕データから前記第２の字幕データへの切り替え及び前記第１のグラフィクスデータから前記第２のグラフィクスデータへの切り替えを行う切り替えステップとを有し、
前記第１のストリームデータ及び前記第２のストリームデータは、複数の固定長のパケットで構成されており、
前記複数の固定長のパケットは、パケットの転送間隔が変化するものであり、パケット単位に転送間隔を示すタイムスタンプを含み、
前記切り替えステップは、前記タイムスタンプに応じて前記第１のストリームデータのパケットの転送タイミングを調整するステップと、前記タイムスタンプに応じて前記第２のストリームデータのパケットの転送タイミングを調整するステップを有し、
前記第１の映像データから前記第２の映像データへの切り替え及び前記第１の音声データから前記第２の音声データへの切り替え及び前記第１の字幕データから前記第２の字幕データへの切り替え及び前記第１のグラフィクスデータから前記第２のグラフィクスデータへの切り替えを行い、前記切り替えられた映像データまたは音声データまたは字幕データまたはグラフィクスデータと切り替えられていない映像データまたは音声データまたは字幕データまたはグラフィクスデータとを同期させて出力することを特徴とする再生方法。
【請求項３】
前記切り替え手段は、前記切り替え手段によって切り替えられたデータと切り替えられていないデータとを同期させて出力することを特徴とする請求項２に記載の再生方法。
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
紙面をスキャンして得られた紙指紋情報と前記紙面上の符号画像を復号した紙指紋データを取得する取得手段と、
前記紙指紋情報と前記紙指紋データとを照合する照合手段と、
前記照合手段により照合した結果、照合できないと判断された場合、前記紙指紋情報の再登録を促す再登録促進手段と、
を備えることを特徴とする画像処理装置。
【請求項２】
前記符号画像は、前記紙指紋データと前記紙指紋データの前記紙面上の位置情報とを含むことを特徴とする請求項１に記載の画像処理装置。
【請求項３】
紙面をスキャンして得られた紙指紋情報と前記紙面上の符号画像を復号した紙指紋データを取得する取得ステップと、
前記紙指紋情報と前記紙指紋データとを照合する照合ステップと、
前記照合ステップにより照合した結果、照合できないと判断された場合、前記紙指紋情報の再登録を促す再登録促進ステップと、
を含むことを特徴とする画像処理方法。
【請求項４】
前記符号画像は、前記紙指紋データと前記紙指紋データの前記紙面上の位置情報とを含むことを特徴とする請求項３に記載の画像処理方法。
【請求項５】
請求項３に記載の画像処理方法をコンピュータに実行させるコードからなるプログラム。
【手続補正２】
【補正対象書類名】明細書
【補正対象項目名】発明の名称
【補正方法】変更
【補正の内容】
【発明の名称】画像処理装置、画像処理方法及びそのプログラム
【手続補正３】
【補正対象書類名】明細書
【補正対象項目名】０００９
【補正方法】変更
【補正の内容】
【０００９】
上記課題を解決するため、本願発明の画像処理装置は、紙面をスキャンして得られた紙指紋情報と前記紙面上の符号画像を復号した紙指紋データを取得する取得手段と、前記紙指紋情報と前記紙指紋データとを照合する照合手段と、前記照合手段により照合した結果、照合できないと判断された場合、前記紙指紋情報の再登録を促す再登録促進手段と、を備えることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
モニタの表示画像の色の見えと、プリンタの出力画像の色の見えをマッチングするための色処理装置であって、
前記モニタの白色点および前記出力画像を観察する際の観察光の白色点を取得する取得手段と、
前記モニタの白色点、前記観察光の白色点および基準白色点を用いて、前記表示画像を観察する際の白色点および前記出力画像を観察する際の白色点を算出する算出手段と、
前記算出された前記表示画像を観察する際の白色点および前記出力画像を観察する際の白色点を用いて、前記表示画像に対応する画像データを色補正して前記出力画像用の画像データにする補正手段とを有し、
前記基準白色点は、人間の視覚系において白いと感じられる白色を示すことを特徴とする色処理装置。
【請求項２】
前記基準白色点は、黒体放射軌跡上の点であることを特徴とする請求項1に記載された色処理装置。
【請求項３】
前記算出手段は、前記モニタの白色点の輝度および前記観察光の白色点の輝度に応じた重みを用いて前記算出を行うことを特徴とする請求項1または請求項2に記載された色処理装置。
【請求項４】
前記取得手段は、さらに、前記モニタを観察する際の不完全順応係数および部分順応係数、並びに、前記出力画像を観察する際の不完全順応係数および部分順応係数を取得し、
前記算出手段は、前記モニタの白色点、前記観察光の白色点、前記基準白色点、並びに、前記モニタを観察する際の不完全順応係数および部分順応係数を用いて前記表示画像を観察する際の白色点を算出し、
前記算出手段は、前記モニタの白色点、前記観察光の白色点、前記基準白色点、並びに、前記出力画像を観察する際の不完全順応係数および部分順応係数を用いて前記出力画像を観察する際の白色点を算出することを特徴とする請求項1から請求項3の何れか一項に記載された色処理装置。
【請求項５】
取得手段、算出手段、補正手段を有し、モニタの表示画像の色の見えと、プリンタの出力画像の色の見えをマッチングするための色処理装置の色処理方法であって、
前記取得手段が、前記モニタの白色点および前記出力画像を観察する際の観察光の白色点を取得するステップと、
前記算出手段が、前記モニタの白色点、前記観察光の白色点および基準白色点を用いて、前記表示画像を観察する際の白色点および前記出力画像を観察する際の白色点を算出するステップと、
前記補正手段が、前記算出された前記表示画像を観察する際の白色点および前記出力画像を観察する際の白色点を用いて、前記表示画像に対応する画像データを色補正して前記出力画像用の画像データにするステップとを有し、
前記基準白色点は、人間の視覚系において白いと感じられる白色を示すことを特徴とする色処理方法。
【請求項６】
前記基準白色点は、黒体放射軌跡上の点であることを特徴とする請求項5に記載された色処理方法。
【請求項７】
前記算出手段は、前記モニタの白色点の輝度および前記観察光の白色点の輝度に応じた重みを用いて前記算出を行うことを特徴とする請求項5または請求項6に記載された色処理方法。
【請求項８】
前記取得手段は、さらに、前記モニタを観察する際の不完全順応係数および部分順応係数、並びに、前記出力画像を観察する際の不完全順応係数および部分順応係数を取得し、
前記算出手段は、前記モニタの白色点、前記観察光の白色点、前記基準白色点、並びに、前記モニタを観察する際の不完全順応係数および部分順応係数を用いて前記表示画像を観察する際の白色点を算出し、
前記算出手段は、前記モニタの白色点、前記観察光の白色点、前記基準白色点、並びに、前記出力画像を観察する際の不完全順応係数および部分順応係数を用いて前記出力画像を観察する際の白色点を算出することを特徴とする請求項5から請求項7の何れか一項に記載された色処理方法。
【請求項９】
コンピュータを請求項1から請求項4の何れか一項に記載された色処理装置の各手段として機能させることを特徴とするプログラム。
【手続補正２】
【補正対象書類名】明細書
【補正対象項目名】００１２
【補正方法】変更
【補正の内容】
【００１２】
本発明にかかる色処理は、モニタの表示画像の色の見えと、プリンタの出力画像の色の見えをマッチングするための色処理装置であって、前記モニタの白色点および前記出力画像を観察する際の観察光の白色点を取得し、前記モニタの白色点、前記観察光の白色点および基準白色点を用いて、前記表示画像を観察する際の白色点および前記出力画像を観察する際の白色点を算出し、前記算出された前記表示画像を観察する際の白色点および前記出力画像を観察する際の白色点を用いて、前記表示画像に対応する画像データを色補正して前記出力画像用の画像データにする。前記基準白色点は、人間の視覚系において白いと感じられる白色を示すことを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００３８
【補正方法】変更
【補正の内容】
【００３８】
なお、部分順応係数は、上述したカラーマッチング設定UIにユーザが設定した値を利用するが、関数などを利用して自動的に算出することもできる。また、重み係数L*iは、白色点の輝度が高い方に、より順応するという考えから式(4)によって算出する。
YWm ≦ YWp の場合 L*m = 116.0×(YWm/YWp)1/3 - 16.0
else             L*m = 100
YWp ≦ YWm の場合 L*m = 116.0×(YWp/YWm)1/3 - 16.0      …(4)
else             L*m = 100
【手続補正５】
【補正対象書類名】明細書
【補正対象項目名】００５０
【補正方法】変更
【補正の内容】
【００５０】
センサ27は、画像表示装置102のモニタ光を測定するセンサである。センサ28は、画像出力装置104の印刷物を観察する環境の環境光を測定するためのセンサである。センサ27、28は、例えば分光放射輝度計で、モニタ光と環境光の白色点の三刺激値を測定する。なお、センサを一つにして、測定する光に応じて移動しても構わない。観察条件取得部29は、画像処理部16の制御によって、センサ27、28が測定した環境光の情報を取得する。
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
各々が光電変換手段を備え、行方向及び列方向に配列された複数の画素と、前記複数の画素から前記光電変換手段により得られた信号を読み出して、外部に転送する走査手段とを有する撮像素子と、
前記撮像素子を駆動するための駆動パルスの立ち上がり及び立ち下がりエッジのうち、少なくとも１つのタイミングにおいて、前記走査手段による前記信号の転送動作を一時的に停止させるように制御する制御手段と
を備えることを特徴とする撮像装置。
【請求項２】
前記撮像素子から転送された信号をデジタル信号に変換するＡ／Ｄ変換手段と、
前記デジタル信号に同期した同期信号を発生するタイミング発生部と、
前記同期信号に同期させて前記デジタル信号を取り込んで、予め決められた処理を行うデジタル信号処理部と、
を備え、
前記制御手段は、前記信号の転送動作を一時的に停止させている期間、前記同期信号の供給を、前記タイミング発生部が停止するように制御することを特徴とする請求項１に記載の撮像装置。
【請求項３】
前記撮像素子から転送された信号をデジタル信号に変換するＡ／Ｄ変換手段と、
前記デジタル信号に同期した同期信号を発生するタイミング発生部と、
前記同期信号に同期させて前記デジタル信号を取り込んで、予め決められた処理を行うデジタル信号処理部と、
を備え、
前記制御手段は、前記信号の転送動作を一時的に停止させている期間、前記Ａ／Ｄ変換手段が予め定められた値のデジタル信号を出力するように、前記Ａ／Ｄ変換手段を制御することを特徴とする請求項１に記載の撮像装置。
【請求項４】
各々が光電変換手段を備え、行方向及び列方向に配列された複数の画素と、前記複数の画素から前記光電変換手段の光電変換により得られた信号を読み出して、外部に転送する走査手段とを備える撮像素子の制御方法であって、
制御手段が、前記撮像素子を駆動するための駆動パルスの立ち上がり及び立ち下がりエッジのうち、少なくとも１つのタイミングにおいて、前記走査手段による前記信号の転送動作を一時的に停止させるように制御する工程を有することを特徴とする撮像素子の制御方法。
【手続補正２】
【補正対象書類名】明細書
【補正対象項目名】０００４
【補正方法】変更
【補正の内容】
【０００４】
本発明は、上記の課題に鑑みてなされたものであり、撮像素子に印加される駆動パルスが原因となるノイズの混入を防止することを目的とする。
【手続補正３】
【補正対象書類名】明細書
【補正対象項目名】０００５
【補正方法】変更
【補正の内容】
【０００５】
本発明の第１の側面は、撮像装置に係り、各々が光電変換手段を備え、行方向及び列方向に配列された複数の画素と、前記複数の画素から前記光電変換手段により得られた信号を読み出して、外部に転送する走査手段とを有する撮像素子と、前記撮像素子を駆動するための駆動パルスの立ち上がり及び立ち下がりエッジのうち、少なくとも１つのタイミングにおいて、前記走査手段による前記信号の転送動作を一時的に停止させるように制御する制御手段とを備えることを特徴とする。
【手続補正４】
【補正対象書類名】明細書
【補正対象項目名】０００６
【補正方法】変更
【補正の内容】
【０００６】
本発明の第２の側面は、各々が光電変換手段を備え、行方向及び列方向に配列された複数の画素と、前記複数の画素から前記光電変換手段の光電変換により得られた信号を読み出して、外部に転送する走査手段とを備える撮像素子の制御方法に係り、制御手段が、前記撮像素子を駆動するための駆動パルスの立ち上がり及び立ち下がりエッジのうち、少なくとも１つのタイミングにおいて、前記走査手段による前記信号の転送動作を一時的に停止させるように制御する工程を有することを特徴とする。
【手続補正５】
【補正対象書類名】明細書
【補正対象項目名】０００７
【補正方法】変更
【補正の内容】
【０００７】
本発明によれば、撮像素子に印加される駆動パルスが原因となるノイズの混入を防止することができる。
【手続補正６】
【補正対象書類名】図面
【補正対象項目名】図１
【補正方法】変更
【補正の内容】
【図１】
2008278044.tif 000001
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
複数の光源の下で色票を測色した複数の測色値セットを保持する保持手段と、
観察光源の分光タイプと白色点情報を取得する取得手段と、
前記保持手段から、前記観察光源の分光タイプに応じた測色値セットを選択する選択手段と、
前記観察光源の白色点情報と、前記選択された測色値セットに対応する光源の白色点情報に基づき、前記選択された測色値セットから前記観察光源の下の測色値セットを計算する計算手段とを有することを特徴とする色処理装置。
【請求項２】
前記分光タイプは、高演色形、普通形、三波長形の三種類を含むことを特徴とする請求項1に記載された色処理装置。
【請求項３】
前記白色点情報はCIEXYZ値であることを特徴とする請求項1または請求項2に記載の色処理装置。
【請求項４】
前記計算手段は、前記選択された測色値セットに対応する光源の白色点情報と前記観察光源の白色点情報に基づき、前記選択された測色値セットの測色値を、前記観察光源の下の測色値に変換する光源変換処理を行うことを特徴とする請求項1から請求項3の何れか一項に記載された色処理装置。
【請求項５】
前記保持手段は、前記分光タイプごとに、色温度が異なる複数の基準光源の下で測色された複数の測色値セットを保持することを特徴とする請求項1から請求項3の何れか一項に記載された色処理装置。
【請求項６】
前記選択手段は、前記保持手段から、前記観察光源の分光タイプに応じた複数の測色値セットを選択し、
前記計算手段は、前記分光タイプに応じた複数の測色値セットそれぞれに対して、前記観察光源の白色点情報と当該測色値セットに対応する光源の白色点情報に基づき、前記測色値セットの測色値を前記観察光源の下の測色値に変換する光源変換処理を行う変換手段、および、前記分光タイプに応じた複数の測色値セットそれぞれに対応する光源の白色点情報と前記観察光源の白色点情報に基づき、前記光源変換処理によって得られた、前記分光タイプに応じた複数の測色値セットそれぞれに対応する測色値を重み付け演算して、前記観察光源の下の測色値セットにする演算手段を有することを特徴とする請求項5に記載された色処理装置。
【請求項７】
複数の光源の下で色票を測色した複数の測色値セットを保持する保持手段、取得手段、選択手段、計算手段を有する色処理装置の色処理方法であって、
前記取得手段が、観察光源の分光タイプと白色点情報を取得し、
前記選択手段が、前記保持手段から、前記観察光源の分光タイプに応じた測色値セットを選択し、
前記計算手段が、前記観察光源の白色点情報と、前記選択された測色値セットに対応する光源の白色点情報に基づき、前記選択された測色値セットから前記観察光源の下の測色値セットを計算することを特徴とする色処理方法。
【請求項８】
コンピュータを、請求項1から請求項6の何れか一項に記載された色処理装置の各手段として機能させることを特徴とするプログラム。
【手続補正２】
【補正対象書類名】明細書
【補正対象項目名】００１０
【補正方法】変更
【補正の内容】
【００１０】
本発明にかかる色処理は、複数の光源の下で色票を測色した複数の測色値セットを保持し、観察光源の分光タイプと白色点情報を取得し、前記観察光源の分光タイプに応じた測色値セットを選択し、前記観察光源の白色点情報と、前記選択された測色値セットに対応する光源の白色点情報に基づき、前記選択された測色値セットから前記観察光源の下の測色値セットを計算することを特徴とする。
【手続補正３】
【補正対象書類名】明細書
【補正対象項目名】００２８
【補正方法】変更
【補正の内容】
【００２８】
図5はテーブル保持部107が保持すテーブルの一例を示す図である。この例は、ユーザインタフェイスの観察光源設定部1001のプルダウンメニューにセットされた光源の記号（光源名）と、対応する分光タイプ（演色性）および白色点情報を示すテーブルである。なお、本実施例では、白色点情報としてCIEXYZ値を利用することにする。
【手続補正４】
【補正対象書類名】明細書
【補正対象項目名】００５９
【補正方法】変更
【補正の内容】
【００５９】
次に、測色値取得部209は、ユーザインタフェイスの入力ファイル設定部2003に設定されたファイル210（測色値の取得先）から、複数の基準光源下で測色された色票の測色値セットを取得して、測色値保持部106に格納する(S52)。測色値取得部209は、例えばUSBやIEEE1394などのシリアルバスまたはネットワークに接続する。従って、コンピュータ機器や画像入出力機器（例えばディジタルカメラ、スキャナ、プリンタなど）、あるいは、記憶装置やサーバ装置からファイル210を取得して、所定のフォーマットで記述された測色値セットを読み出すことができる。
【手続補正５】
【補正対象書類名】明細書
【補正対象項目名】００７６
【補正方法】変更
【補正の内容】
【００７６】
センサ部302の測定が終了すると、UI部101は、バッファメモリ108の所定領域に格納された測定結果を白色点情報表示部3003に表示する(S63)。
【手続補正６】
【補正対象書類名】明細書
【補正対象項目名】００８４
【補正方法】変更
【補正の内容】
【００８４】
また、図7には、基準光源下の測色値セットを分光タイプごとに二種類、三分光タイプで合計六種類の測色値セットを保持する例を示した。しかし、保持する測色値セットの種類は限定されるものではなく、例えば、分光タイプごとに三種類、合計九種類の測色値セットを用意してもよい。また、高演色形を三種類、三波長形を二種類、普通形を一種類のように、分光タイプごとに保持する測色値セットの数を変えてもよい。